(57)【特許請求の範囲】
【請求項１】
電話機からの呼び出しに自動的に着信する自動着信部と、前記電話機よりの信号を判別する判別部と、前記判別部の判別結果に基づき家庭内機器を制御すべく信号を送信する、電池電源駆動のテレコントロール装置において、テレコントロール装置に前記電池電源をＯＮするための電源スイッチを備え、該電源スイッチをＯＮすると、前記被制御の家庭内機器にテスト信号として運転停止を指令する信号を赤外線で送信する構成としたことを特徴とするテレコントロール装置。
【請求項２】
前記電源スイッチをＯＮすると、判断手段にて電源が正常か否かを判別し、表示手段にて電源が正常か否かを表示する構成としたことを特徴とする請求項１記載のテレコントロール装置。
【請求項３】
前記電話機からの呼び出しの自動着信時と、前記電話機よりの信号判別結果に基づき前記家庭内機器を制御すべく送信する信号送信時とを区別して表示する構成としたことを特徴とする請求項２記載のテレコントロール装置。
【発明の詳細な説明】
【０００１】
【発明の属する技術分野】
本発明は、電話を介して家庭内機器を制御するテレコントロール装置（以下、テレコンという）に関するものである。
【０００２】
【従来の技術】
テレコンは、使用者が外出時、公衆電話機等から宅内の装置を呼び出し、所定のコードを入力して家庭内機器を制御するものであり、在宅中はあまり使用しないものである。また、本人は外出していても、家人の誰かが在宅中であれば、外出先から電話で家人に連絡し、家庭内機器を制御してもらえるから、本当にテレコンの必要な時間は以外と短いものである。
【０００３】
また、テレコンの電源として、商用電源から低電圧に落として、直流電源とすることもできるが、電源トランス等少々コストがかかり、その分テレコンの価格が上がり、需要者の購買意欲をそぐことになっている。
【０００４】
【発明が解決しようとする課題】
そこで、使用時間が短いことに、着目して電池電源として、電源のコストをひいては製品単価を安価なものにしたい。また、使用しないときの待機時電力の削減を図り、電池でも、長期間使用できるようにしたい。そして、電池電源等は特にそうであるが、万一電源電圧が基準値以下であればテレコン動作が正常に機能せず困ったことになる。
【０００５】
そしてまた、テレコンが赤外線信号を送信して家庭内機器を制御するものである場合、万一赤外線が届きにくい位置にテレコンが置き変わっていたりすると、テレコンが動作しても、その対象となる家庭内機器の制御が不能となる。さらに、電源異常の場合以外であっても万一テレコンが正常に動作しなければ困ったことになる。
【０００６】
本発明のテレコントロール装置は上記従来の課題を解決することを目的とするものである。
【０００７】
【課題を解決するための手段】
本発明のテレコンは上記課題を解決するために、電話機からの呼び出しに自動的に着信する自動着信部と、前記電話機よりの信号を判別する判別部と、前記判別部の判別結果に基づき家庭内機器を制御すべく信号を送信する、電池電源駆動のテレコンにおいて、テレコンに前記電池電源をＯＮするための電源スイッチを備え、該電源スイッチをＯＮすると、前記被制御の家庭内機器にテスト信号として運転停止を指令する信号を赤外線で送信する構成としたものである。
【０００８】
また、電源が正常か否かの判断手段、表示手段を備え、前記電源スイッチをＯＮすると、電源が正常か否かを表示する構成としたものである。
【０００９】
そして、電話機からの呼び出しの自動着信時と電話機よりの信号判別結果に基づき家庭内機器を制御すべく送信する信号送信時とを区別して表示する構成としたものである。
【００１０】
さらに、テレコンは赤外線信号を送信して家庭内機器を制御するワイヤレスリモートコントロール装置（以下、リモコンという）としたものである。
【００１１】
本発明によれば、テレコンに電源スイッチを備え、テレコンを使用するときのみ、メインとなる電源を使用するため省エネとなる。このため電池でも、長期間使用できるようになり、商用電源から電源トランス等で低電圧に落として、直流電源とすることも不要となり、その分テレコンの価格を下げ、需要者の購買意欲を喚起できる。
【００１２】
また、電源スイッチをＯＮすると、前記被制御の家庭内機器にテスト信号を送信する構成としたものであるから、テレコンから送信したテスト信号に対して、家庭内機器が正常に制御されるかが、その都度確認できる。
【００１３】
すなわち、テレコンが正常に動作し、テスト信号を送信したか、テレコンの送信信号が家庭内機器を正常に制御したか、例えば、家庭内機器の電源スイッチがＯＦＦになっていて、如何に正常な信号を送信しても、家庭内機器がその信号を受信不能あるいは故障していないか、テレコンが赤外線信号を送信して家庭内機器を制御するものである場合、送信された赤外線が家庭内機器に正常に届いたか、テレコン設置位置は大丈夫か（いつの間にか設置位置、向きが変えられていて赤外線信号が家庭内機器に正常に届かないことはないか）、赤外線信号を遮断する邪魔物がないか、などである。
【００１４】
また、テレコン自身の電源が正常か否かの判断手段、表示手段を備えているから、例えば、電池電源が正常か確認できる。商用電源から低電圧に落として、直流電源としていればほとんど問題はないが、電池電源の場合は放電容量があり、まだ使用できるか常に確認が必要であるからであり、使用の都度、電源スイッチＯＮにて確認でき、便利である。なお、この電源が正常かの表示は電源スイッチＯＮ後の一時的に表示すればよい。
【００１５】
そして、電話機からの呼び出しの自動着信時と電話機よりの信号判別結果に基づき家庭内機器を制御すべく送信する信号送信時とを区別して表示する構成としたものであるから、外出先からテレコンを使用中に、在宅の家人が電話機の使用を控えることができたり、また、テレコンの故障診断などに利用できる。
【００１６】
そしてまた、通常、家庭内機器は赤外線信号を送信して制御するリモコンを備えているから、テレコンも赤外線信号を送信して家庭内機器を制御するリモコンとすれば、赤外線信号受信部がそのまま活用できて便利であり、さらにテレコンが家庭内機器を制御する赤外線信号はリモコンがその家庭内機器を制御する赤外線信号と同じ信号を送信するようにしておけば、赤外線信号受信側の家庭内機器は信号の種類が減る。
【００１７】
このため電源スイッチをテレコンに備え、外出して使用するときのみ電源ＯＮとし、かつ電話機にて呼び出されるまでの待機時間はテレコンの制御に使用している必要最小限電力、例えば、スリーピングモードにしたマイコンチップにのみ電力を供給し、普通の電力は供給を停止しておく。
【００１８】
【発明の実施の形態】
以下、本発明のテレコントロール装置の実施の形態について、赤外線リモコンと同じ信号をテレコンからも送信し、制御される家庭内機器としては空気調和機に実施した場合について説明する。
【００１９】
図１は本発明のテレコンの実施の形態に係る空気調和機、リモコン、電話機、テレコン等の関係を示している。空気調和機１は通常、赤外線で指令信号を送信するリモコン２で操作される。テレコン３はリモコン２の置台の機能も兼ねていて、リモコン３と同じ赤外線信号を、建物外にある他の電話機４の操作により、送信して空気調和機１を制御する。建物外にある他の電話機４は電話会社の交換機等電話回線５及び建物内の電話端子に２股のモジュラーコネクタ６を介して、一方のモジュラーコード７は電話機９に、他方のモジュラーコード８はテレコン３にそれぞれ接続されている。
【００２０】
図２は本発明のテレコンの実施の形態を示す外形図であり、図２（ａ）は上面図、図２（ｂ）は側面図、図２（ｃ）は底面図、図２（ｄ）は側面図であり、それぞれが３角図法で記載されている。
【００２１】
図２において、モジュラソケット３１に接続されたモジュラーコード８から、電話会社の交換機等電話回線５を経由して建物外にある他の電話機４と接続されている。テレコン３には登録スイッチ３２、電源スイッチ３４、樹脂カバー３８内部には電源が正常か否かや、自動着信時と信号送信時とを区別した表示に使用する可視光発光ダイオードＬＥＤ３５、３６、リモコン２と同じ信号を送信し空気調和機を制御する、複数個からなる赤外発光ダイオード３７を備えている。
【００２２】
樹脂カバー３８は赤外発光ダイオード３７の赤外光のうち特定周波数帯のみ通過させるフィルターである。周囲の音を取り込むマイクロフォンを内部に備えているため、底面部と樹脂カバー部３８には空気穴２９、３９もある。なお、電源スイッチ３４はプッシュロックタイプで、押釦を押した状態のＯＮか、押釦が上に飛び出ている状態のＯＦＦかは目視確認できる。
【００２３】
３３はリモコン２３をテレコン３の上に置いたとき、特に、壁などにテレコン３を垂直に設置した場合に、テレコン３が落ちないようにするための突起であり、突起３３を横に倒すことで、引っ込めることもできる。なお、図示していないが、底面にはテレコン３を壁などに垂直に設置するための引っかけ穴も設けている。
【００２４】
送信用の赤外発光ダイオード３７は垂直方向に１個、垂直から４５°傾けて、水平角５０°毎に５個の計６個からなり、赤外発光ダイオードの指向角半値幅は２５°のものである。このため、赤外発光ダイオードの信号送信エリアの垂直エリアは垂直より２５°及び垂直より逆方向に７０°の計９５°であり、水平エリアは２５０°である。そして、その到達距離は７ｍ以上である。
【００２５】
図３は本発明のテレコンの実施の形態を示す制御回路の要部ブロック図である。
【００２６】
最初にテレコン３への暗証番号の登録と呼出音回数の設定または変更について説明する。
【００２７】
まず、テレコンの誤動作やイタズラ防止のため、０〜９の数字４桁による暗証番号を設ける。同じ電話回線に留守番電話などが接続されている場合、違う暗証番号にする。
【００２８】
そして、建物外にある他の電話機４から自宅に電話をかけてテレコン３を動作させるまでに呼出ベルを何回鳴らすかの設定を行う。この際、同じ電話回線に留守番電話などが接続されている場合、留守番電話の設定より大きい数に設定する。これは、留守番電話をテレコン３より優先させるためである。
【００２９】
そして、まず、所定のモジュラーコード８などの接続後、テレコン３の電源スイッチ３４をＯＮし、次に、電話機９にて１７７（天気予報）へダイヤルする（電話機のダイヤルボタンを利用してテレコン３の設定を行う準備であり、１７７に意味はない。）。そして、電話機９にてトーン信号に切り替える。なお、電話機９がプッシュフォンの場合は、トーン信号になっているから切替は不要である。
【００３０】
次に、テレコン３の登録スイッチ３２を押す。この時、ＬＥＤ表示部１６のＬＥＤ３５が点灯する。そして、電話機９にて「＊釦」を押した後に暗証番号４桁と「＊釦」、更に呼出音回数設定用の数字２桁の計６桁を続けてダイヤルする。なお、「＊釦」とは電話機にて「＊」マークを９０度回転させた形のマークで表示されているものである。ここではこの正式なマークの記載が難しいので、「＊」マークで代用する。
【００３１】
そして、受話器から“ピポッ”と確認音が鳴り、テレコン３のＬＥＤ３５が消灯し、暗証番号登録と呼出音回数設定が完了したことを報知する。例えば、暗証番号が５５５５で呼出音回数が８回を設定したいなら＊５５５５＊０８とダイヤルする。なお、テレコン３の出荷時には暗証番号は１２３４、呼出音回数は７回で設定してある。
【００３２】
また、暗証番号と呼出音回数は一度設定すると、テレコン３の電源スイッチ３４をＯＦＦにしたり、電池を抜き取ったりしてもその記憶が消えないようにＥＥＰＲＯＭ１９に記憶させてある。なお、暗証番号の登録変更や、呼出音回数の設定変更は、上記の新規設定と同じ操作で可能である。
【００３３】
そして、電話機９の電話を切る。また、テレコン３を使用しない場合は、その電源スイッチ３４をＯＦＦとする。
【００３４】
さらに、同じ電話回線に留守番電話機９などが接続セットされている場合でも、呼出音回数の設定を留守番電話機９の方をテレコン３より小さい数にセットしておくことで、留守番電話機９が先に着信し、留守番電話機９とテレコン３が同じ電話回線で使用できる。
【００３５】
次に、電源が正常か否かの確認について説明すると、入力部１５の電源スイッチ３４がＯＮすると、電源電圧検出回路１４にて読み取った電源電圧をマイコン１１に取り込み、電源電圧がＤＣ５.４Ｖを越えていれば、電源電圧は正常と判断し、ＬＥＤ表示部１６のＬＥＤ３５が５秒間点灯する。
【００３６】
なお、テレコン３としてはＤＣ４.４Ｖ〜６.８Ｖの電源電圧で動作するが、もし電源の電圧が５.４Ｖ以下に下がっていたら、マイコン１１は電源異常と判断し、テレコン機能を停止させ、ＬＥＤ３５を５秒間点滅させ表示する。もちろん、電池が完全に消耗している場合等にはＬＥＤ３５は全く点灯しないし、テレコン３も動作しない。
【００３７】
さらに、電源電圧が正常であれば、続いてＥＥＰＲＯＭ１９から暗証番号と呼出音設定回数をマイコン１１に読み込む。このとき先に設定して登録してあるはずの暗証番号と呼出音設定回数が消滅しているなどのＥＥＰＲＯＭエラーのときも、ＬＥＤ表示部１６のＬＥＤ３５が１０秒間点灯し報知する。
【００３８】
なお、電源電圧のチェック、ＥＥＰＲＯＭ１９のチェックは瞬時で完了するから、マイコン１１の指令に基づき、赤外線発光部１７の赤外発光ダイオード３７よりテスト用のテレコン信号を送信する。本発明の実施の形態では空気調和機１の運転停止を指令する信号を送信する。電源電圧チェックの結果は時間をかけて表示しているのである。
【００３９】
また、電源スイッチＯＮ時以外でも、建物外にある他の電話機４からのテレコン操作により、回線接続直後及びその後２分毎に、電源電圧をチェックし、ＤＣ５.０Ｖ以下になれば、マイコン１１は電源電圧異常と判断し、マイコン１１の確認(拒絶)音発生部で“ブー、ブー、ブー、・・・”の警告音を作成し、建物外にある他の電話機４の受話器を通して警告すると共に、マイコン１１の指令により１分後に電話回線を切る。不確実なテレコン操作を防止するためである。したがって“ブー、ブー、ブー、・・・”音が聞こえたら急いでテレコン操作を終わらせる必要がある。
【００４０】
なお、電池を取り換えるなど、電源が投入されたときには、リセット回路２１により、マイコン１１はリセットされる。それでもさらに電池交換時にはリセットスイッチ３０を押し、リセットするように薦め、念押ししている。
【００４１】
また、マイコン１１を動作させる発振部１８には周波数４.１９メガヘルツの発振子Ａと、周波数３２.７６８キロヘルツの発振子Ｂとの２つの発振子を用意し、マイコン１１内でそれぞれの発振回路を構成している。通常は２つの発振回路共使用しているが、電源スイッチ３４をＯＦＦしたとき及び電源スイッチ３４がＯＮされていても、テレコン３が電話受信待ちの間は周波数３２.７６８キロヘルツの発振子Ｂの発振回路のみ動作させるスリーピングモードにしている。
【００４２】
一般にマイコン１１は発振回路部分での電力消費が大きく、かつ発振周波数が大きいとその電力消費も大きくなる。発振子Ａと発振子Ｂとで２つの発振回路を動作させている通常の場合の消費電流がミリアンペアオーダーであるのに対して、発振子Ｂの発振回路のみ動作させるスリーピングモードでは周波数が低いため、マイコン１１の動作が遅く、マイクロアンペアオーダーの微小な電流しか消費しない。
【００４３】
このようにして、電力使用を削減することにより、電池電源での使用を可能にし、安価なテレコン３の提供ができるものである。なお、本発明の実施の形態では電源スイッチＯＦＦ時でも、マイコンはスリーピングモードにして微小電力を消費しているが、使用しないときには電源スイッチにて完全に電源をＯＦＦとしてもよい。また、本発明の実施の形態では電池電源としているが、商用電源からトランスなどで低電圧とし、整流した直流電源としてもよいことはいうまでもない。
【００４４】
次に、テレコン３の据え付け位置設定について説明する。
【００４５】
まず、先に述べた送信用の赤外発光ダイオード３７の信号送信エリアを参考にして、壁掛けや卓上などテレコン３の位置と向きを仮決定する。もちろん、テレコン３と空気調和機１の赤外線信号受光部との間に障害物がないことを確認して、その位置で電源スイッチ３４をＯＮする（事前にテレコン３には直列に乾電池４個を入れておく。）。
【００４６】
そして、電源スイッチ３４をＯＮすると、テレコン３よりテスト用の空気調和機制御信号（以下テレコン信号という）を送信する。この実施の形態ではテスト用として空気調和機１の運転停止を指令する信号を送信する。そして、空気調和機１がテレコン信号を受信すると、リモコン信号受信時と同じく、ピッとかブッとかの信号受信音を発するので、また、空気調和機１が運転中であったならその運転が停止することで、無事テレコン信号が機能したことが判断できる。この場合、テレコン３の位置や向きを変えてこの動作を何回か繰り返すことによって、最適な据え付け位置を決定する。
【００４７】
次に空気調和機１を、建物外にある他の電話機４から自宅に電話をかけてテレコン３を動作させ、操作する方法について説明する。
【００４８】
まず、外出する前にテレコン３の電源スイッチ３４をＯＮにしておく。
【００４９】
そして、トーン信号の出せる、建物外の電話機４からテレコン３を接続した電話番号へダイヤルすると、電話回線５を介して、テレコン３は呼出表示としてＬＥＤ表示部１６のＬＥＤ３６が１秒ＯＮ（点灯）２秒ＯＦＦ（消灯）の点滅表示する。この際、建物外の電話機４にてトーン信号に切り替える。ただし、外の電話機４がプッシュフォンの場合は最初からトーン信号になっているから切替は不要である。
【００５０】
そして、呼出音が設定した回数に達した後、自動着信部１２にて、テレコン３に回線が接続され、マイコン１１にある確認(拒絶)音発生部で“ピポッ”という接続確認音を作成し、この接続確認音を建物外の電話機４の受話器から聞くことでテレコン３に回線が接続されたことを確認する。その後、テレコン３はトーン信号検出部１３にて、トーン信号を検出する。
【００５１】
次に、外の電話機４にて「＊釦」に続き暗証番号４桁と「＊釦」を押してダイヤルすると、トーン信号検出部１３を介して、マイコン１１は暗証番号が先に登録しているものと合致するか否か判断し、合致したときは、確認（拒絶）音発生部で“ピポッ”という確認音を作成し、建物外の電話機４の受話器から聞くことで確認する。
【００５２】
このとき、最初に押した「＊釦」は、上記のトーン信号に切替のための操作で押す「＊釦」とダブル可能性があるため、「＊釦」を続けて２回ダイヤルしても１回と同じ操作がされたものとマイコン１１は理解する。ここでマイクロフォンを備えたマイク回路２０がＯＮとなり、集音するため、マイクロフォンによって、テレコン３周囲の音がモニターできるようになる。
【００５３】
もし、暗証番号が合致しないときは、受話器から“ブー”という拒絶音が聞こえる。この場合は、再度「＊釦」を押した後に暗証番号４桁と「＊釦」を押してダイヤルする。暗証番号が合致すると上記のように受け付けるが、３回暗証番号が合致しないときは受話器から“ブー”という拒絶音が聞こえた後、マイコン１１の指令により電話回線の接続を切ってしまう。
【００５４】
続けて、空気調和機１に操作指令するための操作番号２桁と「＊釦」を押して外の電話機４にてダイヤルすると、マイコン１１は操作番号を判別し、操作番号が所定の番号であれば、確認音発生部２３で“ピポッ”という確認音を発し、この確認音を建物外の電話機４の受話器から聞くことでテレコン３が指令を受け取ったことを報知確認する。
【００５５】
このとき、マイコン１１が赤外線発光部１７を駆動し、赤外発光ダイオード３７から、空気調和機１を制御すべくリモコン信号と同じ所定の赤外線であるテレコン信号２２を空気調和機１に向けて送信する。空気調和機１がその指令信号を受信すると、空気調和機１は“ピッ”とか“ブッ”とかの受信確認音を発する。
したがって、マイクロフォンを備えたマイク回路２０が集音するため、この受信確認音がモニターされ、受話器からこの確認音を聞くことができ、場合によっては、空気調和機１の運転などに伴う音を聞くことができ、操作指令が受理されたことを確認できる。また、テレコン信号送信と同期してＬＥＤ表示部１６のＬＥＤ３５が点滅表示し、送信表示を行う。
【００５６】
空気調和機１に操作指令するための操作番号として本発明の実施の形態では、「運転停止」を指令したいときは、「操作番号００」、「自動運転ＯＮ(加湿、換気ＯＮ)」を指令したいときは、「操作番号０１」、「加湿ＯＮ（加湿単独運転）」を指令したいときは、「操作番号０２」、「換気ＯＮ（換気単独運転）」を指令したいときは「操作番号０３」としている。
【００５７】
もし、上記操作番号以外の２桁数字をダイヤルすれば、マイコン１１の指令により、“ブー”という拒絶音が受話器から聞こえる。この場合も、再度「＊釦」に続き操作番号２桁と「＊釦」を押して外の電話機４にてダイヤルする。この操作は何回でも繰り返せるが、最後の操作後１分以上経過したり、電話回線が接続後１０分経過すると、マイコン１１の指令により電話回線を切ってしまう。
【００５８】
なお、トーン信号入力が１分間又は３０秒なかった場合には、マイコン１１の指令により電話回線を切ってしまうが、この１分間又は３０秒の選択はマイコン１１の入力端子がジャンパー線でＬｏｗ（ＧＮＤ）に接続されているか否かで選択できる。
【００５９】
そして、外の電話機４の電話を切る。
【００６０】
なお、テレコン３の電源スイッチ３４がＯＦＦ状態、電池切れ、電池未挿入等の場合はテレコン３は動作せず、外からの電話機４よりの呼出音が設定回数に達しても回線の接続はしない。
【００６１】
次に、テレコン３で制御する空気調和機１がテレコン３の赤外発光ダイオード３７の信号到達範囲内に複数個あって、そのうちの特定品のみをテレコン制御したい場合、販売する特定機種の空気調和機にのみ反応するテレコン３としたいときなどについて説明する。
【００６２】
空気調和機のリモコン信号（赤外線信号）が同一であれば、上記と同じですべての空気調和機に反応してしまい、区別できない。そこでリモコンの場合は、リモコンの送信機側のマイコンの入力端子にジャンパー線を付けてＬｏｗ（ＧＮＤ）に接続しているか否かで区別し、異なった赤外線信号のリモコン信号とし、受信側の空気調和機でも、マイコンの入力端子にジャンパー線を付けてＬｏｗ（ＧＮＤ）に接続しているか否かで、どの信号に反応すべきか区別している。本発明の実施の形態のテレコン３もこれと同じことで区別できるようにしている。
【００６３】
なお、本発明は上記実施の形態に限定されるものではない。
【００６４】
【発明の効果】
本発明のテレコンは電源スイッチを備え、テレコンを使用するときのみ、メインとなる電源を使用するため省エネとなる。このため電池でも、長期間使用できるようになり、商用電源から電源トランス等で低電圧に落として、直流電源とすることも不要となり、その分テレコンの価格を下げ、需要者の購買意欲を喚起できる。
【００６５】
また、電源スイッチをＯＮすると、前記被制御の家庭内機器にテスト信号を送信する構成としたものであるから、テレコンから送信したテスト信号に対して、家庭内機器が正常に制御されるかが、その都度確認できる。
【００６６】
すなわち、テレコンが正常に動作し、家庭内機器を正常に制御したか、例えば家庭内機器の電源スイッチがＯＦＦになっていたり、送信された赤外線が家庭内機器に正常に届いたか、などが電源スイッチのＯＮのたびすなわち使用のたびに確認できる。赤外線信号を送信するので、万一遮蔽物があったり、テレコンの設置が赤外線の到達しにくい位置になっていれば大変であるが、電源スイッチのＯＮのたびに確認できる。またテレコン自身の電源が正常か否かの判断手段、表示手段を備えているから、例えば電池電源が正常か確認できる。
【００６７】
そして、電話機からの呼び出しの自動着信時と電話機よりの信号判別結果に基づき家庭内機器を制御すべく送信する信号送信時とを区別して表示する構成としたものであるから、外出先からテレコンを使用中に、在宅の家人が電話機の使用を控えることができたり、またテレコンの故障診断などに利用できる。
【００６８】
さらに、赤外線信号を送信するリモコン同様、赤外線信号を送信して家庭内機器を制御するから、リモコンの赤外線信号受信部がそのまま活用できる。
【図面の簡単な説明】
【図１】本発明のテレコントロール装置の実施の形態を示す空気調和機、ワイヤレスリモコン、電話機、テレコントロール装置等の関係の説明図である。
【図２】本発明のテレコントロール装置の実施の形態を示す外形図面である。
【図３】本発明のテレコントロール装置の実施の形態を示す要部ブロック図である。
【符号の説明】
１  空気調和機（被制御家庭内機器）
３  テレコン
４  建物外にある他の電話機
５  電話回線
６  モジュラーコネクタ
９  電話機
１１  マイコン
３４  電源スイッチ
【図１】
0003863991.tif 000002
【図２】
0003863991.tif 000003
【図３】
0003863991.tif 000004